(57)【要約】【課題】空気調和機の室外ユニットにおいて、熱交換性能の低下を最小限に抑えながら、暖房運転時には問題なく凝縮水を排水する。【解決手段】本体１に送風機３と、熱交換器２と、熱交換器２で生成される凝縮水の排水口５を有する底板４とを備え、排水口５に、電圧を印加することによって反り変形をする高分子シート１０によって構成された可動蓋６を設け、排水が不要な時には可動蓋６で排水口５を閉じるようにすることで、熱交換器２を通過する風量を増加して性能の低下を最小限に抑える。【選択図】図２
2007278675.tif 000002
【特許請求の範囲】
【請求項１】
本体に送風機と、熱交換器と、前記熱交換器で生成される凝縮水の排水口を有する底板とを備え、前記排水口に、電圧を印加することによって反り変形をする高分子シートによって形成された可動蓋を設け、排水が不要な時には前記排水口を可動蓋で閉じるようにしたことを特徴とする空気調和機の室外ユニット。
【請求項２】
高分子シートは、電圧を印加することで反り変形を生じる性状をもつイオン伝導性高分子素子と、前記イオン伝導性高分子素子を挟んだ一対の電極とで構成されていることを特徴とする請求項１に記載の空気調和機の室外ユニット。
【請求項３】
可動蓋は、高分子シートを薄板状の弾性樹脂材で被包して構成されていることを特徴とする請求項１又は２に記載の空気調和機の室外ユニット。
【請求項４】
可動蓋は、これを反り変形させる時のみに高分子シートに電圧が印加される構成であることを特徴とする請求項１〜３のうちいずれか一項に記載の空気調和機の室外ユニット。
【請求項５】
可動蓋が、冷房運転時のみ排水口を閉じるように電圧印加される空気調和機の室外ユニット。
【発明の詳細な説明】
【技術分野】
【０００１】
本発明は空気調和機に関し、特に室外ユニットに関するものである。
【背景技術】
【０００２】
空気調和機の室外ユニットでは、暖房運転時に室外熱交換器により凝縮水が発生するために、底板をドレンパンとして室外熱交換器の下部近傍に排水口を設けている（例えば、特許文献１参照）。
【０００３】
送風機図５は、特許文献１に記載された従来の空気調和機の室外機の要部平面図である。図に示すように、底板１０１上に熱交換器１０４と外気を送風する送風機１０５を配設する熱交換器室１０２と、圧縮機１０６を配設する機械室１０３とから構成され、底板１０１の熱交換器１０４の下部には複数の排水口１０７を設けた構成となっている。
【特許文献１】特開平１１−２８１０９６号公報
【発明の開示】
【発明が解決しようとする課題】
【０００４】
しかしながら、前記従来の構成では、特に凝縮水が無くなる冷房運転時に送風機による吸い込み空気流がこの排水口からも流入する熱交換器を通過する風の量が減少し、熱交換器の効率が低下するという課題を有していた。
【０００５】
本発明は、前記従来の課題を解決するもので、空気調和機の室外ユニットにおいて、熱交換性能の低下を最小限に抑えながら、暖房運転時には問題なく凝縮水を排水することができる空気調和機の室外機を提供することを目的とする。
【課題を解決するための手段】
【０００６】
前記従来の課題を解決するために、本発明の空気調和機の室外ユニットは、本体に送風機と、熱交換器と、熱交換器で生成される凝縮水の排水口を有する底板とを備え、その排水口に、電圧を印加することによって反り変形をする高分子シートによって形成された可動蓋を設けた構成として、排水が不要な時には可動蓋で排水口を閉じるようにすることで、熱交換器を通過する風量を増加して性能の低下を最小限に抑えることが可能となる。
【０００７】
また、本発明の空気調和機の室外ユニットは、高分子シートが電圧を印加することで反り変形を生じる性状をもつイオン伝導性高分子素子で構成されていることを特徴としたものである。これによって、前記効果に加えて、高分子シートに電圧を印加することで反り変形をする性状をもつイオン伝導性高分子素子で構成しているので、制御性が各段に向上する。
【０００８】
また、本発明の空気調和機の室外ユニットは、可動蓋が高分子シートを薄板状の弾性樹脂材で被包して構成されているものである。弾性樹脂材によって高分子シート及びその電極の外部への露出が阻止され、美観性が良好となり商品価値が向上すると共に、高分子シートおよび電極の損傷の発生が防止されることで耐久性の向上が可能となる。
【０００９】
また、本発明の空気調和機の室外ユニットは、可動蓋を反り変形させる時、又は変形を戻す時のみに高分子シートに電圧が印加される構成である。これによって、形状記憶合金の様に形状変形時のみならず変形後の保持期間においても常時電圧印加を必要とするような場合に比して、消費電力が少なくてすみ、省エネ性に優れた運転が可能である。
【００１０】
また、本発明の空気調和機の室外ユニットは、可動蓋が冷房運転時のみ排水口を閉じるように電圧印加されるもので、熱交換器に凝縮水が発生しない冷房時に熱交換器を効率的に使用することができる。
【発明の効果】
【００１１】
上記のように、本発明の空気調和機の室外ユニットは、凝縮水の排水と熱交換効率の向上させることができる。
【発明を実施するための最良の形態】
【００１２】
以下、本発明の各実施の形態を図１〜図４に基づいて説明する。
【００１３】
（実施の形態１）
図１は本発明の実施の形態１の空気調和機の室外ユニットの断面模式図である。図１において、本体１は熱交換器２と送風機３とドレンパンを兼用した底板４と熱交換器２の下部近傍に位置する排水口５とを備え、電圧を印加することによって反り変形をする高分子シートによって形成された可動蓋６が、排水口５を覆う様に配置されている。図２は同じく室外ユニットの断面模式図で、暖房運転時に可動蓋６が排水口５を開く形状となった状態を示したものである。
【００１４】
ここで、可動蓋６を構成する高分子シートについて詳細に説明する。図３は可動蓋の断面模式図、図４はイオン伝導性高分子素子による高分子シートの動作を説明する断面模式図で、（ａ），（ｃ）はそれぞれ反対に電圧を印可した状態を示し、（ｂ）は電圧を印可する前の状態を示すものである。図３において、可動蓋６は、電圧の印加によって反り変形を発生する高分子シート１０を複数枚積層し、且つ、これを弾性樹脂材７で被包することによって構成されている。この高分子シート１０は図４（ｂ）に示すように、水分を含むイオン伝導性高分子素子１１の両面にそれぞれ電極１２、１３を配置して構成された板状部材であって、電極１２と電極１３とを、極性切り替えスイッチ１４を介して直流電源１５に接続し、極性切り替えスイッチ１４の切り替え操作によって、電極１２と電極１３の極性を適宣変更することで図４（ａ），（ｃ）に示すように反対方向に反り変形を生じるものである。
【００１５】
具体的には、図４（ａ）に示す様に、電極１２を「陽極」に、電極１３を「陰極」に設定すると、イオン伝導性高分子素子１１内の「陽イオン１６」が水を伴って「陰極」側へ移動し、含水量が「陰極」側に偏在し、「陰極」側と「陽極」側との間に膨潤差が生じて高分子シート１０が「陰極」側、即ち、電極１３側へ凸状に反り変形するものである。逆に図４（ｃ）に示すように電極１２を「陰極」に、上記電極１３を「陽極」に設定すると、「陰極」である電極１２側へ凸状に反り変形するものである。この様に電圧印加の極性を変更することで高分子シート１０を反り変形させることができるものである。
【００１６】
尚、イオン伝導性高分子素子１１には、電圧印加によって反り変形させた後、電圧印加をなくしても、電圧印加停止前の反り変形状態をそのまま維持するという性状をもち、したがって、このイオン伝導性高分子素子１１はこれを反り変形させる時にのみ電圧印加を行えば良いものである。
【００１７】
そして、図３のように可動蓋６が複数の高分子シート１０で構成されている場合には、それぞれの電極を並列に同一極性となるように設定して電圧を印加できるように接続し、複数の可動蓋６についてはそれぞれ並列に接続することで同時に排水口５を閉じるように反り変形を生じ、また電圧印加を停止してもそのまま反り変形状態を維持することになる。なお、元通りに戻すには両電極１２，１３を短絡すれば良い。
【００１８】
上記の構成とすることで、冷房運転時に送風機による吸い込み空気流がこの排水口からも流入し、熱交換器を通過する風の量が減少して熱交換性能が低下することを最小限に抑えながら、暖房運転時には凝縮水を排水することが可能となる。
【産業上の利用可能性】
【００１９】
以上のように、本発明にかかる空気調和機の室外ユニットは、熱交換性能の低下を最小限に抑えながら、冷房運転時凝縮水排水のできることが可能となるので、空気調和機として有用である。
【図面の簡単な説明】
【００２０】
【図１】本発明の実施の形態１における空気調和機の室外ユニットの断面模式図
【図２】同室外ユニットの断面模式図
【図３】同室外ユニットの可動蓋の断面模式図
【図４】（ａ），（ｂ），（ｃ）同可動蓋のイオン伝導性高分子素子による高分子シートの動作を説明する断面模式図
【図５】従来の空気調和機の室外機の要部平面図
【符号の説明】
【００２１】
１  本体
２  熱交換器
３  送風機
４  底板
５  排水口
６  可動蓋
７  弾性樹脂材
１０  高分子シート
１１  イオン伝導性高分子素子
１２，１３  電極
１４  極性切り替えスイッチ
１５  直流電源
１６  陽イオン
１７  陰イオン
【図３】
2007278675.tif 000003
【図４】
2007278675.tif 000004
【図１】
2007278675.tif 000005
【図２】
2007278675.tif 000006
【図５】
2007278675.tif 000007